(57)【要約】【課題】  ハトやサル等の接近を抑止できる鳥獣防除装置を提供する。【解決手段】  レンチキュラーレンズ２の表示部３は、オオタカが首を振る過程と背景を複数に分けて撮影した写真画像をコマ３ａ〜３ｅに別々に印刷し、これを短冊状に切断してレンチキュラーレンズ２の小レンズ２ａのピッチに合わせて交互に配置して合成する。これにより、表示部３をレンチキュラーレンズ２に透過した見た場合、視線角度の変化によってコマ送りされるように変化して見える。この鳥獣防除装置１を例えば住宅のベランダに設置すると、飛来したハトが接近して鳥獣防除装置１を見た場合、視線角度の変化によってオオタカが自分に向かって振り向いたかのように見え、ハトは驚いてベランダに近寄り難くなり、ベランダに設置している空調機の室外機や洗濯物等に対する糞害が低減される。【選択図】  図２
2007259794.tif 000002
【特許請求の範囲】
【請求項１】
レンチキュラーレンズを介して表示部の画像を動くように見せる装置であって、前記表示部の画像が、鳥や獣が忌避する動物の動く過程を複数のコマに分けて撮影又は描画し、各コマを短冊状に切断してレンチキュラーレンズを構成する小レンズのピッチに合わせて交互に配置して合成したもので、鳥や獣がレンチキュラーレンズを介して表示部を見た場合に視線角度の変化によって表示部の動物が動いているように見せて鳥や獣の接近を抑止できるようにしたことを特徴とする、鳥獣防除装置。
【請求項２】
鳥や獣が忌避する動物が天敵の動物である、請求項１記載の鳥獣防除装置。
【請求項３】
表示部の画像が、天敵が首を振る過程を複数のコマに分けて撮影又は描画し、各コマを短冊状に切断してレンチキュラーレンズを構成する小レンズのピッチに合わせて交互に配置して合成したものである、請求項２記載の鳥獣防除装置。
【請求項４】
表示部の画像が、天敵が羽根を羽ばたかせる過程を複数のコマに分けて撮影又は描画し、各コマを短冊状に切断してレンチキュラーレンズを構成する小レンズのピッチに合わせて交互に配置して合成したものである、請求項２記載の鳥獣防除装置。
【請求項５】
表示部の画像が、天敵がクチバシを開く過程を複数のコマに分けて撮影又は描画し、各コマを短冊状に切断してレンチキュラーレンズを構成する小レンズのピッチに合わせて交互に配置して合成したものである、請求項２記載の鳥獣防除装置。
【請求項６】
表示部を床又は壁にバネを介して設置し、外部からの作用で表示部が揺動できるようにした、請求項１〜５いずれか記載の鳥獣防除装置。
【請求項７】
表示部をレンチキュラーレンズの小レンズの方向と直交する方向に揺動させる駆動装置を設けた、請求項６記載の鳥獣防除装置。
【発明の詳細な説明】
【技術分野】
【０００１】
本発明は、鳥獣害を低減する技術に関する。
【背景技術】
【０００２】
従来、住宅や駅等においてハト等による鳥害が問題となっており、対応に苦慮している。鳥害としては糞による建物の汚損、羽毛の飛散、悪臭等があげられる。また、場所によってはサル等の獣による農作物の荒らしや民家への侵入の被害も起きている。対応策としては、音・光を発生する装置で威嚇する方法、目玉・カラスを模した器具を取り付けて威嚇する方法、薬品・粘着剤等を塗布して忌避させる方法、ネットを張設して進入を防止する方法などがある。
【０００３】
しかしながら、音・光を発生する装置や目玉・カラスを模した器具は時間の経過とともに鳥や獣が慣れて効果に持続性がない。特に音・光を発生する装置は電源等を必要とし、大音量を発生するものは鳥や獣だけでなく周辺や人に影響を及ぼす。薬品・粘着剤はコストがかかり、鳥や獣自身を傷めることがある。ネットは確実であるが、景観に劣るとともに設置場所が住宅のベランダの場合は布団の干し場所が確保できなくなる等の制限がある。
【０００４】
一方、レンチキュラーレンズを用いた広告表示具が特許文献１で開示されている。レンチキュラーレンズは、左右の目に別々の像を映し出して視差を生じさせる特性と見える範囲を限定させる特性を利用することで立体的又は視線角度の違いによって表示が変化するように見せることができるというものである。本発明はこのレンチキュラーレンズの技術を鳥や獣の接近を抑止する用途に応用しようとしたものである。
【特許文献１】実用新案登録第３１０３９７２号公報
【発明の開示】
【発明が解決しようとする課題】
【０００５】
本発明が解決しようとする課題は、従来のこれらの問題点を解消し、鳥や獣の接近を抑止できる鳥獣防除装置を提供することにある。
【課題を解決するための手段】
【０００６】
かかる課題を解決した本発明の構成は、
１）  レンチキュラーレンズを介して表示部の画像を動くように見せる装置であって、前記表示部の画像が、鳥や獣が忌避する動物の動く過程を複数のコマに分けて撮影又は描画し、各コマを短冊状に切断してレンチキュラーレンズを構成する小レンズのピッチに合わせて交互に配置して合成したもので、鳥や獣がレンチキュラーレンズを介して表示部を見た場合に視線角度の変化によって表示部の動物が動いているように見せて鳥や獣の接近を抑止できるようにしたことを特徴とする、鳥獣防除装置
２）  鳥や獣が忌避する動物が天敵の動物である、前記１）記載の鳥獣防除装置
３）  表示部の画像が、天敵が首を振る過程を複数のコマに分けて撮影又は描画し、各コマを短冊状に切断してレンチキュラーレンズを構成する小レンズのピッチに合わせて交互に配置して合成したものである、前記２）記載の鳥獣防除装置
４）  表示部の画像が、天敵が羽根を羽ばたかせる過程を複数のコマに分けて撮影又は描画し、各コマを短冊状に切断してレンチキュラーレンズを構成する小レンズのピッチに合わせて交互に配置して合成したものである、前記２）記載の鳥獣防除装置
５）  表示部の画像が、天敵がクチバシを開く過程を複数のコマに分けて撮影又は描画し、各コマを短冊状に切断してレンチキュラーレンズを構成する小レンズのピッチに合わせて交互に配置して合成したものである、前記２）記載の鳥獣防除装置
６）  表示部を床又は壁にバネを介して設置し、外部からの作用で表示部が揺動できるようにした、前記１）〜５）いずれか記載の鳥獣防除装置
７）  表示部をレンチキュラーレンズの小レンズの方向と直交する方向に揺動させる駆動装置を設けた、前記６）記載の鳥獣防除装置
にある。
【発明の効果】
【０００７】
本発明によれば、鳥や獣の接近を抑止しようとする箇所に設置することで、鳥や獣がレンチキュラーレンズを透過して表示部を見た場合に表示されている動物を立体的且つ鳥や獣の視線角度の変化によって動いているように見せて鳥や獣の接近が抑止され、糞害等の被害を低減できる。また、装置は音や光を発生しないから周辺や人に影響を及ぼすことがなく、電源等も不要である。また、装置は直接触れても鳥や獣を傷つけることがなく、比較的安価なコストで製作できる。また、装置は小型で設置場所を選ばず、人の出入りを制限することもない。
【発明を実施するための最良の形態】
【０００８】
本発明では、鳥や獣の接近を検知できるセンサーと表示部の動物の泣き声等を再生できる再生装置を取り付け、鳥や獣の忌避効果をより高めてもよい。また、表示部の動物の目の部分を夜光塗料や蛍光塗料で表示したり発光装置で発光させるようにしてもよい。レンチキュラーレンズの小レンズの方向は、横方向や縦方向など設置する場所・高さ・角度、対象とする鳥獣に応じて任意に選ばれる。また、鳥獣防除装置は微風でも容易に動くようにバネを介して設置したり若干撓むような軟質の材料で構成し、鳥獣が静止している場合でも忌避効果を発揮できるようにしてもよい。忌避する鳥がハトの場合は天敵であるオオタカの画像が用いられ、忌避する獣がサルの場合は天敵であるイヌの画像が用いられる。以下、本発明の各実施例を図面に基づいて具体的に説明する。
【実施例１】
【０００９】
図１〜３に示す実施例１は、オオタカが首を振る過程を複数のコマに分けて撮影した表示部を有する鳥獣防除装置の例である。図１は実施例１の鳥獣防除装置の正面図、図２は実施例１の表示部を構成するためのコマの説明図、図３は実施例１の表示部の見え方を示す説明図である。図中、１は鳥獣防除装置、２はレンチキュラーレンズ、２ａは小レンズ、３は表示部、３ａ〜３ｅはコマ、４は視線である。
【００１０】
実施例１の鳥獣防除装置１は、断面かまぼこ状の多数の小レンズ２ａで構成されたレンチキュラーレンズ２の背面部にハトの天敵であるオオタカが首を振るように見せる表示部３を取り付けている。表示部３は、図２に示すようにオオタカが首を振る過程と背景を複数に分けて撮影した写真画像をコマ３ａ〜３ｅに別々に印刷し、これを短冊状に切断してレンチキュラーレンズ２の小レンズ２ａのピッチに合わせて交互に配置して合成している。コマ３ｄは岩、コマ３ｅは背景（空）を示している。
【００１１】
これにより、表示部３をレンチキュラーレンズ２に透過した見た場合、図３に示すようにオオタカが背景から浮いて立体的に見えるとともに、視線４の角度の変化によってオオタカの首の動きがコマ送りされるように変化して見える。なお、図３は分かり易くするために視線４の角度をやや誇張させて図示している。実際はわずかな角度の違いで首振りの動きが変化し、しかも変化が連続する。
【００１２】
この鳥獣防除装置１を例えば住宅のベランダに設置しておくと、飛来したハトが接近して鳥獣防除装置１を見た場合、視線４の角度の変化によってオオタカが自分に向かって振り向いたかのように見え、ハトは驚いてベランダに近寄り難くなり、ベランダに設置している空調機の室外機や洗濯物等に対する糞害が低減される。
【実施例２】
【００１３】
図４，５に示す実施例２は、オオタカが羽根を羽ばたかせる過程を複数のコマに分けて撮影した表示部を有する鳥獣防除装置の例である。図４は実施例２の表示部を構成するためのコマの説明図、図５は実施例２の表示部の見え方を示す説明図である。
【００１４】
実施例２の鳥獣防除装置１は、断面かまぼこ状の多数の小レンズ２ａで構成されたレンチキュラーレンズ２の背面部にハトの天敵であるオオタカが羽根を羽ばたかせるように見せる表示部３を取り付けている。表示部３は、図４に示すようにオオタカが羽根を羽ばたかせる過程と背景を複数に分けて撮影した写真画像をコマ３ａ〜３ｅに別々に印刷し、これを短冊状に切断してレンチキュラーレンズ２の小レンズ２ａのピッチに合わせて交互に配置して合成している。コマ３ｄは岩、コマ３ｅは背景（空）を示している。
【００１５】
これにより、表示部３をレンチキュラーレンズ２に透過した見た場合、図５に示すようにオオタカが背景から浮いて立体的に見えるとともに、視線４の角度の変化によってオオタカの羽根の動きがコマ送りされるように変化して見える。なお、図５は分かり易くするために視線４の角度をやや誇張させて図示している。実際はわずかな角度の違いで羽ばたきの動きが変化し、しかも変化が連続する。
【００１６】
この鳥獣防除装置１を例えば駅のホームの天井裏に設置しておくと、飛来したハトが接近して鳥獣防除装置１を見た場合、視線４の角度の変化によってオオタカが自分に向かって羽根を羽ばたいて威嚇しているかのように見え、ハトは驚いて駅のホームに近寄り難くなり、天井裏での巣作り等による糞害が低減される。その他、符号、構成、作用効果は実施例１と同じである。
【実施例３】
【００１７】
図６，７に示す実施例３は、オオタカがクチバシを開く過程を複数のコマに分けて撮影した表示部を有する鳥獣防除装置の例である。図６は実施例３の表示部を構成するためのコマの説明図、図７は実施例３の表示部の見え方を示す説明図である。
【００１８】
実施例３の鳥獣防除装置１は、断面かまぼこ状の多数の小レンズ２ａで構成されたレンチキュラーレンズ２の背面部にハトの天敵であるオオタカがクチバシを開くように見せる表示部３を取り付けている。表示部３は、図６に示すようにオオタカがクチバシを開く過程と背景を複数に分けて撮影した写真画像をコマ３ａ〜３ｅに別々に印刷し、これを短冊状に切断してレンチキュラーレンズ２の小レンズ２ａのピッチに合わせて交互に配置して合成している。コマ３ｄは岩、コマ３ｅは背景（空）を示している。
【００１９】
これにより、表示部３をレンチキュラーレンズ２に透過した見た場合、図７に示すようにオオタカが背景から浮いて立体的に見えるとともに、視線４の角度の変化によってオオタカのクチバシの動きがコマ送りされるように変化して見える。なお、図７は分かり易くするために視線４の角度をやや誇張させて図示している。実際はわずかな角度の違いでクチバシの動きが変化し、しかも変化が連続する。
【００２０】
この鳥獣防除装置１を例えば公園のベンチ又はその付近に設置しておくと、飛来したハトが接近して鳥獣防除装置１を見た場合、視線４の角度の変化によってオオタカが自分に向かってクチバシを開いて威嚇しているかのように見え、ハトは驚いてベンチに近寄り難くなり、ベンチに対する糞害が低減される。その他、符号、構成、作用効果は実施例１と同じである。
【００２１】
図８に示すのは、実施例１の鳥獣防除装置の他の例である。図８は実施例１の他の例の鳥獣防除装置の側面図である。図中、５はバネ、６は取付板、７はクランク、８は減速機付きモータ、９は壁、１０は床である。
【００２２】
図８（ａ）に示すのは、表示部３の背面を壁９にバネ５と取付板６で揺動可能に取り付けている。図８（ｂ）に示すのは、表示部３の下部をバネ５で床１０に揺動可能に取り付け、しかも表示部３を減速機付きモータ８によるクランク７の動作で揺動させるようにしている。レンチキュラーレンズ２は小レンズ２ａの方向がいずれも揺動の方向と直交する横方向となるように配置している。
【００２３】
これらの鳥獣防除装置１は、鳥獣が静止している場合でも表示部３の揺動で鳥獣の視線４の角度を相対的に変化させることで表示部３の画像を動くように見せることができ、忌避効果をより発揮させることができる。その他、符号、構成、作用効果は実施例１と同じである。
【産業上の利用可能性】
【００２４】
本発明の鳥獣防除装置は、住宅・駅・バス停・公園等に設置して利用される。
【図面の簡単な説明】
【００２５】
【図１】実施例１の鳥獣防除装置の正面図である。
【図２】実施例１の表示部を構成するためのコマの説明図である。
【図３】実施例１の表示部の見え方を示す説明図である。
【図４】実施例２の表示部を構成するためのコマの説明図である。
【図５】実施例２の表示部の見え方を示す説明図である。
【図６】実施例３の表示部を構成するためのコマの説明図である。
【図７】実施例３の表示部の見え方を示す説明図である。
【図８】実施例１の他の例の鳥獣防除装置の側面図である。
【符号の説明】
【００２６】
１  鳥獣防除装置
２  レンチキュラーレンズ
２ａ  小レンズ
３  表示部
３ａ〜３ｅ  コマ
４  視線
５  バネ
６  取付板
７  クランク
８  減速機付きモータ
９  壁
１０  床
【図１】
2007259794.tif 000003
【図２】
2007259794.tif 000004
【図３】
2007259794.tif 000005
【図４】
2007259794.tif 000006
【図５】
2007259794.tif 000007
【図６】
2007259794.tif 000008
【図７】
2007259794.tif 000009
【図８】
2007259794.tif 000010